(57)【特許請求の範囲】
【請求項１】
ゴルフクラブのシャフト内に挿入可能な棒状のウェイト本体と、
前記ウェイト本体の一端に設けられ、前記シャフトの内面を押圧して、前記ウェイト本体の前記一端側を前記シャフトに固定するための押圧面を有する第１固定手段と、
前記ウェイト本体の他端に設けられ、前記シャフトの内面を押圧して、前記ウェイト本体の前記他端側を前記シャフトに固定するための押圧面を有する第２固定手段と、を備え、
前記第１固定手段及び前記第２固定手段の各々は、前記ウェイト本体の端部に、前記ウェイト本体の軸線方向に形成された雌ねじにねじ込まれる雄ねじと、前記雄ねじのシャンク部に取り付けられる弾性スリーブと、を備え、
前記弾性スリーブは、前記雄ねじの頭部と前記ウェイト本体の端面との間に挟まれ、前記雄ねじのねじ込み量に応じて、前記弾性スリーブの外径が変化することを特徴とするゴルフクラブ用ウェイト。
【発明の詳細な説明】
【技術分野】
【０００１】
本発明は、ゴルフクラブ、特に、パターのシャフトに取り付けられるウェイトに関するものである。
【背景技術】
【０００２】
通常、メーカーで製造されるゴルフクラブ、特に、パターは、独自の研究・開発に基づき、最も適切であると判断される数種類の重量のみに設定されている。従って、メーカーから提供されるパターが、重量に関するユーザの要求をすべて満たしているとは決して言えない。
【０００３】
このような実情から、パターのソール等に貼り付けられる付加的なウェイトが開発され、販売されてきている。しかしながら、この種の付加的なウェイトの重量は、比較的重いものであっても、１０〜２０ｇ程度であって、重量に著しい制限があり、例えば、１００〜２００ｇの重量をパターに付加することはできない。また、この種のウェイトは、パターのソール等に貼り付けられるため、パターの外観が損なわれる傾向があった。
【０００４】
また、専門の業者に依頼して、パターを改造し、総重量を増加させることも場合によって行われているが、一般的に、個々のパターのカスタマイズに合致するような改造を行った場合、その費用が非常に高額になる場合が多かった。
【０００５】
一方、パターに１００〜２００ｇ、又は、それ以上の重量を付加して、総重量を大幅に増加させることによって、安定したストロークを行うことが期待される。
【先行技術文献】
【特許文献】
【０００６】
【特許文献１】特開２００７−８２６０５公報  特許文献１は、軸方向に長い筒状に形成されたウェイトを外嵌固定したことを特徴とするパターを開示している。
【０００７】
しかしながら、特許文献１のパターにおいては、比較的重い重量を付加することが可能であるが、シャフトの外側にウェイトが取り付けられるため、パターの外観が損なわれる虞があった。
【０００８】
このように比較的重い重量を付加することができ、パター等のゴルフクラブのシャフトに簡単、且つ、確実に取り付けることが可能であり、しかも、ゴルフクラブの外観を損なうことのないウェイトは従来開発されていなかった。
【発明の概要】
【発明が解決しようとする課題】
【０００９】
本発明の目的は、上述した従来技術の問題点を解決し、比較的重い重量を付加することができ、パター等のゴルフクラブのシャフトに簡単、且つ、確実に取り付けることが可能であり、しかも、ゴルフクラブの外観を損なうことがないゴルフクラブ用ウェイトを提供することにある。
【課題を解決するための手段】
【００１０】
上述した課題を解決するために、本発明の第１の態様に係るゴルフクラブ用ウェイトは、ゴルフクラブのシャフト内に挿入可能な棒状のウェイト本体と、前記ウェイト本体の一端に設けられ、前記シャフトの内面を押圧して、前記ウェイト本体の前記一端側を前記シャフトに固定するための押圧面を有する第１固定手段と、前記ウェイト本体の他端に設けられ、前記シャフトの内面を押圧して、前記ウェイト本体の前記他端側を前記シャフトに固定するための押圧面を有する第２固定手段とを備えている。
【００１１】
本発明の第２の態様に係るゴルフクラブ用ウェイトにおいて、前記第１固定手段及び前記第２固定手段の各々を、前記ウェイト本体の端部に、前記ウェイト本体の軸線方向に形成された雌ねじにねじ込まれる雄ねじと、前記雄ねじのシャンク部に取り付けられる弾性スリーブとから構成し、前記弾性スリーブを、前記雄ねじの頭部と前記ウェイト本体の端面との間に挟み、前記雄ねじのねじ込み量に応じて、前記弾性スリーブの外径が変化すると共に、前記雄ねじに所定の締付けトルクを付与するように構成することも可能である。
【００１２】
本発明の第３の態様に係るゴルフクラブ用ウェイトにおいて、前記第１固定手段の雄ねじと、前記第２固定手段の雄ねじとは、同一方向のねじ山及び同一のピッチを有するように構成し、前記ゴルフクラブ用ウェイトが前記シャフト内に挿入される前の初期状態において、前記第１固定手段の弾性スリーブの外径を、前記第２固定手段の弾性スリーブの外径と同一又はこれよりも小さくなるように設定し、更に、前記第１固定手段の雄ねじの締付けトルクを、前記第２固定手段の雄ねじの締付けトルクよりも小さくなるように設定することも可能である。
【発明の効果】
【００１３】
本発明の第１の態様に係るゴルフクラブ用ウェイトによれば、比較的重い重量を有する材料で形成することが可能なウェイト本体の一端及び他端に、第１及び第２固定手段がそれぞれ設けられ、第１固定手段の押圧面がゴルフクラブのシャフトの内面に押し付けられることによって、ウェイト本体の一端側が上記シャフトに固定され、また、第２固定手段の押圧面が上記シャフトの内面に押し付けられることによって、ウェイト本体の他端側がこのシャフトに固定される。従って、ゴルフクラブの外観を損なうことがなく、パター等のゴルフクラブのシャフトに比較的重い重量を容易に付加することができる。
【００１４】
本発明の第２の態様に係るゴルフクラブ用ウェイトによれば、第１固定手段及び第２固定手段の各々を、ウェイト本体の端部に、ウェイト本体の軸線方向に形成された雌ねじにねじ込まれる雄ねじと、雄ねじのシャンク部に取り付けられる弾性スリーブとから構成し、弾性スリーブを、雄ねじの頭部とウェイト本体の端面との間に挟み、雄ねじのねじ込み量に応じて、弾性スリーブの外径が変化すると共に、雄ねじに所定の締付けトルクを付与するように構成しているため、全体構造が簡単で、取付け及び取外し作業を容易に行うことができる。
【００１５】
本発明の第３の態様に係るゴルフクラブ用ウェイトによれば、第１固定手段の雄ねじと、第２固定手段の雄ねじとは、同一方向のねじ山及び同一のピッチを有するように構成し、ゴルフクラブ用ウェイトがシャフト内に挿入される前の初期状態において、第１固定手段の弾性スリーブの外径を、第２固定手段の弾性スリーブの外径と同一又はこれよりも小さくなるように設定し、更に、第１固定手段の雄ねじの締付けトルクを、第２固定手段の雄ねじの締付けトルクよりも小さくなるように設定しているので、第２固定手段の雄ねじに加えられる操作力をウェイト本体を介して、第１固定手段に伝達することができ、ウェイト本体の一端側をシャフトにより強固に固定することができる。
【図面の簡単な説明】
【００１６】
【図１】本発明の第１実施形態に係るゴルフクラブ用ウェイトが装着されたパターの部分正面図である。
【図２】本発明の第１実施形態に係るゴルフクラブ用ウェイトの正面図である。
【図３】図２に示したゴルフクラブ用ウェイトの第１固定手段を示す部分断面図である。
【図４】図２に示したゴルフクラブ用ウェイトの第２固定手段を示す部分断面図である。
【図５】図３に示した第１固定手段がシャフトに固定された状態を示す部分断面図である。
【図６】図３に示した第２固定手段がシャフトに固定された状態を示す部分断面図である。
【図７】本発明の第２実施形態に係るゴルフクラブ用ウェイトの第１固定手段を示す部分断面図である。
【図８】本発明の第２実施形態に係るゴルフクラブ用ウェイトの第２固定手段を示す部分断面図である。
【図９】図７に示した第１固定手段がシャフトに固定された状態を示す部分断面図である。
【図１０】図８に示した第２固定手段がシャフトに固定された状態を示す部分断面図である。
【図１１】第１実施形態に係るゴルフクラブ用ウェイトの第１固定手段の変形例を示す部分断面図である。
【図１２】図１１に示した第１固定手段がシャフトに固定された状態を示す部分断面図である。
【図１３】本発明の第３実施形態に係るゴルフクラブ用ウェイトの第１固定手段を示す部分断面図である。
【図１４】本発明の第３実施形態に係るゴルフクラブ用ウェイトの第２固定手段を示す部分断面図である。
【発明を実施するための形態】
【００１７】
（第１実施形態）
本発明の第１実施形態に係るゴルフクラブ用ウェイトＷ１は、図１に示されるように、パターＰのシャフトＳの内部において、グリップＧ側端部に装着されている。
【００１８】
以下、本発明の第１実施形態に係るゴルフクラブ用ウェイトＷ１を、図２−４を参照して説明する。
【００１９】
本発明のウェイトＷ１は、図２に示すように、ウェイト本体１と、その一端に設けられた第１固定手段２と、その他端に設けられた第２固定手段３とから構成されている。
【００２０】
ウェイト本体１は、金属棒材からなり、パターＰのシャフトＳの後端から挿入可能な所定の外径及び所定の長さを有している。後述するように、ウェイト本体１の両端には、第１固定手段２及び第２固定手段３のための雌ねじ１ａ、１ｂがそれぞれ形成されるが、このような雌ねじの形成を容易に行うため、上記金属棒材として、軟鉄の棒材を用いることが好ましい。一例として、２００〜３００ｍｍの長さ、１０ｍｍの外径、及び、２００ｇの重量を有する軟鉄の棒材が、ウェイト本体１として使用される。
【００２１】
第１固定手段２は、ウェイト本体１の一端にねじ込まれた雄ねじ４と、この雄ねじ４に取り付けられた弾性スリーブ６とから構成されている。雄ねじ４は、ウェイト本体１の中心軸線方向に形成された雌ねじ１ａにねじ込まれている。弾性スリーブ６は、合成樹脂、合成ゴム等の弾性材料から筒状に形成されており、雄ねじ４のシャンク部４ａに取り付けられている。この弾性スリーブ６は、ウェイト本体１の外径と実質的に同一の外径を有している。弾性スリーブ６は、雄ねじ４の頭部とウェイト本体１の端面との間に挟まれ、雄ねじ４のねじ込み量に応じて、弾性スリーブの外径が変化すると共に、雄ねじ４に所定の締付けトルクを付与する。即ち、弾性スリーブ６は、雄ねじ４をウェイト本体１に締め付けることによって、雄ねじ４の頭部とウェイト本体１の端面との間に挟まれて、弾性変形し、外径が増大する。この弾性スリーブ６の外面６ａは、このような弾性変形に伴って、シャフトＳ（図５参照）の内面を押圧して、ウェイト本体１の一端側をシャフトＳに固定するための押圧面として作用する。一方、このように雄ねじ４の頭部とウェイト本体１の端面との間で弾性変形する弾性スリーブ６は反力を発生させ、これは、雄ねじ４に所定の締付けトルクを付与する。尚、雄ねじ４のねじ込み作業の際に、弾性スリーブ６の損傷を防止するために、図３に示すように、弾性スリーブ６の一端と雄ねじ４の頭部との間、及び、弾性スリーブ６の他端とウェイト本体１の端面との間には、ワッシャ７及び８がそれぞれ配置されている。しかしながら、弾性スリーブ６が十分な耐久性を有している場合には、これらのワッシャは必ずしも必要ではない。
【００２２】
第２固定手段３も、第１固定手段２と同様に構成されている。即ち、第２固定手段３は、ウェイト本体１の他端にねじ込まれた雄ねじ５と、この雄ねじ５に取り付けられた弾性スリーブ１１とから構成されている。雄ねじ５は、ウェイト本体１の中心軸線方向に形成された雌ねじ１ｂにねじ込まれている。弾性スリーブ１１は、合成樹脂、合成ゴム等の弾性材料から筒状に形成されており、雄ねじ５のシャンク部５ａに取り付けられている。この弾性スリーブ１１は、ウェイト本体１の外径と実質的に同一の外径を有している。弾性スリーブ１１は、雄ねじ５の頭部とウェイト本体１の端面との間に挟まれ、雄ねじ５のねじ込み量に応じて、弾性スリーブの外径が変化すると共に、雄ねじ５に所定の締付けトルクを付与する。即ち、弾性スリーブ１１は、雄ねじ５をウェイト本体１に締め付けることによって、雄ねじ５の頭部とウェイト本体１の端面との間に挟まれて、弾性変形し、外径が増大する。この弾性スリーブ１１の外面１１ａは、このような弾性変形に伴って、シャフトＳ（図６参照）の内面を押圧して、ウェイト本体１の一端側をシャフトＳに固定するための押圧面として作用する。一方、このように雄ねじ５の頭部とウェイト本体１の端面との間で弾性変形する弾性スリーブ１１は反力を発生させ、これは、雄ねじ５に所定の締付けトルクを付与する。尚、雄ねじ５のねじ込み作業の際に、弾性スリーブ１１の損傷を防止するために、図４に示すように、弾性スリーブ１１の一端と雄ねじ５の頭部との間、及び、弾性スリーブ１１の他端とウェイト本体１の端面との間には、ワッシャ９及び１０がそれぞれ配置されている。しかしながら、弾性スリーブ１１が十分な耐久性を有している場合には、これらのワッシャは必ずしも必要ではない。
【００２３】
次に、本発明の第１実施形態に係るゴルフクラブ用ウェイトＷ１をパターＰのシャフトＳに装着する方法を、図５及び６を参照して説明する。
【００２４】
先ず、パターＰからグリップＧを取り外す。次いで、ゴルフクラブ用ウェイトＷ１をシャフトＳの外周面上に並べ、これをシャフトＳに沿って移動させて、装着したい位置（以下、「装着希望位置」という）に配置する。このとき、ゴルフクラブ用ウェイトＷ１の第１固定手段の弾性スリーブ６に対応する位置において、シャフトＳの外径を測定する。
【００２５】
次いで、ゴルフクラブ用ウェイトＷ１における第１固定手段２の雄ねじ４をウェイト本体１に対して締め付けて、弾性スリーブ６を図５に示すように弾性変形させ、その外径を、上述したように測定されたシャフトＳの外径よりも若干小さい値まで増大させる。このような状態で、ゴルフクラブ用ウェイトＷ１を、第１固定手段２側からシャフトＳに挿入する。シャフトＳは、ヘッド側が細くなるようにテーパ状に形成されており、第１固定手段２の、外径が増大した弾性スリーブ６がシャフトＳの内面と接触して更なる挿入が不可能になり、シャフトＳ内で、装着希望位置付近に到達する。この状態で、ゴルフクラブ用ウェイトＷ１を更にシャフトＳの内部に強制的に押し込み、第１固定手段２がシャフトＳ内で強固に固定された状態を確保する。
【００２６】
次いで、図６に示すように、第２固定手段３の雄ねじ５を締め付ける。このような締付けを行うと、第２固定手段３の弾性スリーブ１１は、雄ねじ５の頭部とウェイト本体１の端面との間に挟まれて、弾性変形し、外径が増大して、シャフトＳの内面を押圧する。弾性スリーブ１１が雄ねじ５の頭部とウェイト本体１の端面との間で実質的に変形できない程度まで、雄ねじ５の締付け動作を行うと、雄ねじ５の更なる締付けが困難になり、この状態で、締付け動作は終了し、第２固定手段３は、シャフトＳに強固に固定される。
【００２７】
ゴルフクラブ用ウェイトＷ１をシャフトＳ内に装着した後、グリップＧを公知の方法によって、シャフトに取り付ける。
【００２８】
このように、ゴルフクラブ用ウェイトＷ１をシャフトＳ内に装着することによって、外観を損なうことがなく、約２００ｇの重量をパターＰに付加することができ、安定したストロークを行うことができる。
【００２９】
勿論、ゴルフクラブ用ウェイトＷ１をシャフトＳから取り外す場合には、上述と逆の操作によって、容易に取り外すことが可能である。
【００３０】
（第２実施形態）
次に、本発明の第２実施形態に係るゴルフクラブ用ウェイトを、図７−１０を参照して以下に説明する。
【００３１】
本発明の第２実施形態に係るゴルフクラブ用ウェイトにおいては、第１固定手段２の雄ねじ４と、第２固定手段３の雄ねじ５とは、同一方向のねじ山及び同一のピッチを有するように構成されており、ゴルフクラブ用ウェイトがシャフトＳ内に挿入される前の初期状態において、第１固定手段２の弾性スリーブ６の外径を、第２固定手段３の弾性スリーブの外径と同一又はこれよりも小さくなるように設定し、更に、第１固定手段２の雄ねじ４の締付けトルクを、第２固定手段３の雄ねじ５の締付けトルクよりも小さくなるように設定されている。上述した特徴以外は、本発明の第１実施形態にかかるゴルフクラブ用ウェイトと同一である。従って、同一の構成要素に同一の符号を付し、それらの説明を省略する。
【００３２】
上述した特徴を達成するために、第１固定手段２には、図７に示すように、単一の弾性スリーブ６が用いられている一方、第２固定手段３には、図８に示すように、２つの弾性スリーブ、即ち、内側層としての弾性スリーブ１１と、外側層としての弾性スリーブ１２とが用いられている。第２固定手段３の弾性スリーブ１２は、第１固定手段２の弾性スリーブ６と同一の大きさを有しており、従って、これら両者は、外径、内径、長さ及び厚さにおいて相互に同一である。第２固定手段３の弾性スリーブ１１は、弾性スリーブ１２を補強して、大きな締付けトルクを提供するためのものであり、外側層としての弾性スリーブ１２の内径よりも若干小さい外径を有しており、また、この弾性スリーブ１２の厚さよりも若干小さい厚さを有している。これらの弾性スリーブ１１及び１２の外径等の諸条件は、第２固定手段３全体によって付与すべき締付けトルクに応じて決定される。
【００３３】
次に、本発明の第２実施形態に係るゴルフクラブ用ウェイトをパターのシャフトに装着する方法を以下に説明する。
【００３４】
上述した第１実施形態におけると同様に、先ず、パターＰからグリップＧを取り外す。次いで、ゴルフクラブ用ウェイトＷ１をシャフトＳの外周面上に並べ、これをシャフトＳに沿って移動させて、装着したい位置（以下、「装着希望位置」という）に配置する。このとき、ゴルフクラブ用ウェイトＷの第１固定手段２の弾性スリーブ６に対応する位置において、シャフトＳの外径を測定する。
【００３５】
次いで、ゴルフクラブ用ウェイトにおける第１固定手段２の雄ねじ４をウェイト本体１に対して締め付けて、弾性スリーブ６を弾性変形させ、その外径を、上述したように測定されたシャフトＳの外径よりも若干小さい値まで増大させる。このような状態で、ゴルフクラブ用ウェイトを、第１固定手段２側からシャフトＳに挿入する。シャフトＳは、ヘッド側が細くなるようにテーパ状に形成されており、第１固定手段２の、外径が増大した弾性スリーブ６がシャフトＳの内面と接触して更なる挿入が不可能になり、シャフトＳ内で、装着希望位置付近に到達する。この状態で、第２固定手段３の雄ねじ５に、ドライバー等をセットして、回転力を付与する。第１固定手段２の雄ねじ４と、第２固定手段３の雄ねじ５とは、同一方向のねじ山及び同一のピッチを有するように構成されており、ゴルフクラブ用ウェイトがシャフトＳ内に挿入される前の初期状態において、第１固定手段２の雄ねじ４の締付けトルクを、第２固定手段３の雄ねじ５の締付けトルクよりも小さくなるように設定されているため、上述したように雄ねじ５に回転力を付与すると、第２固定手段３の雄ねじ５及びウェイト本体１が一体的に、第１固定手段２の雄ねじ４に対して回転する。これにより、第１固定手段２の弾性スリーブ６が更に弾性変形して、その外径が更に増加する。弾性スリーブ６の外径の増加量が最大に達した状態で、この弾性スリーブ６は、シャフトＳの内面に強固に固定されると共に、この弾性スリーブ６を介して、雄ねじ４とウェイト本体１とが一体的にロックされる。
【００３６】
このような状態で、第２固定手段３の雄ねじ５に回転力を付与し続けると、第２固定手段３の雄ねじ５がウェイト本体１に対してねじ込まれ、第２固定手段３における締付けが実行される。このような締付けを行うと、第２固定手段３の弾性スリーブ１１及び１２は、雄ねじ５の頭部とウェイト本体１の端面との間に挟まれて、弾性変形し、弾性スリーブ１１及び１２のそれぞれの外径が増大して、外側層としての弾性スリーブ１２がシャフトＳの内面を押圧する。弾性スリーブ１１及び１２が雄ねじ５の頭部とウェイト本体１の端面との間で実質的に変形できない程度まで、雄ねじ５の締付け動作を行うと、雄ねじ５の更なる締付けが困難になり、この状態で、締付け動作は終了し、第２固定手段３は、シャフトＳに強固に固定される。
【００３７】
ゴルフクラブ用ウェイトをシャフトＳ内に装着した後、グリップＧを公知の方法によって、シャフトに取り付ける。
【００３８】
このように、ゴルフクラブ用ウェイトをシャフトＳ内に装着することによって、外観を損なうことがなく、約２００ｇの重量をパターＰに付加することができ、安定したストロークを行うことができる。
【００３９】
勿論、ゴルフクラブ用ウェイトをシャフトＳから取り外す場合には、上述と逆の操作によって、容易に取り外すことが可能である。
【００４０】
上述した本発明の第２実施形態に係るゴルフクラブ用ウェイトによれば、シャフトＳ内に挿入したあと、第２固定手段３の雄ねじ５に回転力を付与することによって、先ず、第１固定手段２の雄ねじ４の締付けが行われ、この第１固定手段２の雄ねじ４の締付けが完了した後に連続して、第２固定手段３の雄ねじ５の締付けが行われ、シャフトＳに対する装着を容易に行うことができる。
【００４１】
上述した第１実施形態に係るゴルフクラブ用ウェイトの第１固定手段２において、雄ねじ４の締付けに伴って、弾性スリーブ６が弾性変形して、その外径が増大するが、弾性スリーブ６と、雄ねじ４の頭部及びウェイト本体１の端面の各々との接触抵抗が比較的大きい場合には、弾性スリーブ６そのものが捩れる場合がある。勿論、この場合であっても、弾性変形に伴って、その外径が増大するために、何等問題はないが、このような弾性スリーブ６の捩れを極力少なくして、その外径を安定して増加させることが好ましい。このような弾性スリーブの捩れは、第１実施形態に係るゴルフクラブ用ウェイトの第２固定手段３においても同様に生ずる可能性があり、また、第２実施形態に係るゴルフクラブ用ウェイトの第１固定手段２及び第２固定手段３においても生ずる可能性がある。図１１は、このような弾性スリーブ６の捩れを防止するための、第１及び第２実施形態に係るゴルフクラブ用ウェイトの第１固定手段の変形例を示している。
【００４２】
この第１固定手段２は、弾性スリーブ６の外周において、そのほぼ中央部に、変形拘束リング１３が嵌められている。この変形拘束リング１３は、弾性スリーブ６の外径よりも若干小さい内径を有しており、弾性スリーブ６の上述した位置に、強制的に嵌められている。この変形拘束リング１３は、その取付け位置において、弾性スリーブ６の変形を拘束する。このように、弾性スリーブ６の変更を拘束する作用、換言すれば、弾性スリーブの軸線方向の長さよりも短い軸線方向の長さを有し、その取付け位置において、弾性スリーブ６の変形に対して拘束力を与える特性を有していれば、変形拘束リング１３の材質は任意であり、例えば、金属、合成樹脂等から形成される。また、変形拘束リング１３の弾性スリーブ６に対する取付け位置も任意であり、弾性スリーブ６の中央部の代わりに、その両端に取り付けたり、その中央部及び両端のそれぞれに取り付けることも可能である。更に、変形拘束リング１３の断面形状も任意であり、例えば、図１１に示された円形状の断面はもとより、矩形状の断面や楕円形状の断面を有していてもよい。
【００４３】
次に、変形拘束リング１３の作用を、図１２を参照しながら以下に説明する。
【００４４】
上述した第１実施形態におけるように、第１固定手段２の雄ねじ４をウェイト本体１に対して締め付けると、弾性スリーブ６は弾性変形する。ここで、弾性スリーブ６と、雄ねじ４の頭部及びウェイト本体１の端面の各々との接触抵抗が比較的大きい場合には、雄ねじ４の締付けに伴って、弾性スリーブ６には、雄ねじ４のねじ山方向に沿って弾性スリーブ６を変形させる力が作用する。しかしながら、変形拘束リング１３は、その取付け位置において弾性スリーブ６の変形を拘束し、上述した力を上下に分散させる。その結果、弾性スリーブ６そのものが大きく捩れることが回避され、弾性スリーブ６が、変形拘束リング１３を境にして、図１２において上下方向に実質的に２つに分かれ、それぞれが弾性変形して、その外径が増大する。
【００４５】
図１１及び１２においては、変形拘束リング１３を第１実施形態に係るゴルフクラブ用ウェイトの第１固定手段２に適用した例として説明したが、同第１実施形態に係る第２固定手段３に適用することも可能であり、また、第２実施形態に係るゴルフクラブ用ウェイトの第１固定手段２及び第２固定手段３に適用することも可能である。
【００４６】
また、図１１及び１２には、単一の変形拘束リング１３を弾性スリーブ６に装着した場合を説明したが、弾性スリーブに対して、複数個の変形拘束リングを装着することも可能である。
【００４７】
（第３実施形態）
次に、本発明の第３実施形態に係るゴルフクラブ用ウェイトを、図１３及び１４を参照して説明する。
【００４８】
本発明の第３実施形態に係るゴルフクラブ用ウェイトは、第１固定手段２が２つの変形拘束リング１４、１５を有しており、第２固定手段３が３つの変形拘束リング１６、１７、１８を有していることを除き、図２乃至４に示した第１実施形態に係るゴルフクラブ用ウェイトと同一である。従って、同一の構成要素に同一の符号を付して詳細な説明を省略する。
【００４９】
図１３に示すように、本発明の第３実施形態に係るゴルフクラブ用ウェイトにおいては、第１固定手段２の弾性スリーブ６には、その外周において、上端及び下端に２つの変形拘束リング１４、１５がそれぞれ嵌められている。この変形拘束リング１４、１５は、合成樹脂製のチューブを所定の長さに切断したものであり、図１３に示すように矩形状の断面を有している。
【００５０】
一方、図１４に示すように、本発明の第３実施形態に係るゴルフクラブ用ウェイトにおいては、第２固定手段２の弾性スリーブ１１には、その外周において、上端、中央部分、及び、下端に３つの変形拘束リング１６、１７、１８がそれぞれ嵌められている。この変形拘束リング１６、１７、１８は、上述した変形拘束リング１４、１５と同様に、合成樹脂製のチューブを所定の長さに切断したものであり、図１４に示すように矩形状の断面を有している。
【００５１】
本発明の第３実施形態に係るゴルフクラブ用ウェイトによれば、第１固定手段２の雄ねじ４をウェイト本体１に締め付けると、弾性スリーブ６は、雄ねじ４の頭部とウェイト本体１の端面との間に挟まれて弾性変形し、外径が増大する。この弾性変形の際、変形拘束リング１４、１５は、弾性スリーブ６の上端及び下端において、その変形を拘束し、弾性スリーブ６全体が大きく捩られて変形することが回避される。その結果、弾性スリーブ６は、変形拘束リング１４、１５間で均一に変形し、これに伴って弾性スリーブ６の外径が均一に増大する。
【００５２】
また、本発明の第３実施形態に係るゴルフクラブ用ウェイトによれば、第２固定手段３の雄ねじ５をウェイト本体１に締め付けると、弾性スリーブ１１は、雄ねじ５の頭部とウェイト本体１の端面との間に挟まれて弾性変形し、外径が増大する。この弾性変形の際、変形拘束リング１６、１８は、弾性スリーブ１１の上端及び下端において、その変形を拘束し、一方、弾性拘束リング１７は、変形拘束リング１６、１８間において弾性スリーブ１１を変形させる力を上下に分散させ、弾性スリーブ１１全体が大きく捩られて変形することが回避される。その結果、弾性スリーブ１１は、変形拘束リング１６及び１７間、及び、変形拘束リング１７及び１８間でそれぞれ均一に変形し、これに伴って弾性スリーブ１１の外径が均一に増大する。
【００５３】
なお、上記の第３実施形態においては、第１固定手段２に２つの変形拘束リング７、８を設け、第２固定手段３に３つの変形拘束リング１６、１７、１８を設けているが、本発明の適用はこれには限定されない。即ち、第１固定手段２に対して図１４に示すように３つの変形拘束リングを設けても良いし、第２固定手段３に対して図１３に示すように２つの変形拘束リングを設けてもよい。
また、図１３及び１４においては、変形拘束リングを第１実施形態に係るゴルフクラブ用ウェイトの第１固定手段２及び第２固定手段３に適用した例として説明したが、同じ変形拘束リングを第２実施形態に係るゴルフクラブ用ウェイトの第１固定手段２及び第２固定手段３に適用することも可能である。
【００５４】
（その他の適用例）
尚、上述した第１乃至第３実施形態の説明において、ゴルフクラブ用ウェイトは、パターのシャフトに装着されるものとして説明したが、他のクラブ、例えば、ウッドクラブ、アイアンクラブ等のシャフトに装着することも可能である。
【符号の説明】
【００５５】
Ｗ１  ゴルフクラブ用ウェイト
１  ウェイト本体
２  第１固定手段
３  第２固定手段
４、５  雄ねじ
６、１１、１２  弾性スリーブ
【図１】
0005250590.tif 000002
【図２】
0005250590.tif 000003
【図３】
0005250590.tif 000004
【図４】
0005250590.tif 000005
【図５】
0005250590.tif 000006
【図６】
0005250590.tif 000007
【図７】
0005250590.tif 000008
【図８】
0005250590.tif 000009
【図９】
0005250590.tif 000010
【図１０】
0005250590.tif 000011
【図１１】
0005250590.tif 000012
【図１２】
0005250590.tif 000013
【図１３】
0005250590.tif 000014
【図１４】
0005250590.tif 000015